【手続補正書】
【提出日】平成25年10月9日(2013.10.9)
【手続補正１】
【補正対象書類名】明細書
【補正対象項目名】全文
【補正方法】変更
【補正の内容】
【発明の詳細な説明】
【発明の名称】コンテンツ広告システム
【技術分野】
【０００１】本発明は、公開者が、公開するコンテンツを広告本体とし、自ら、該コンテンツをインターネットにより利用者が容易に見出し、入手できるように仕向け、広告を行う技術に関する。
【背景技術】
【０００２】インターネット上の情報流通の現状を見ると、検索エンジンやその応用技術の普及により利用者の情報収集範囲は拡大する一方、収集情報の選別負荷も増加しており、ニュース性、話題性等の要素抜きに、公開コンテンツが利用者の検索にヒットする確率が高まると期待するのは難しい。特に、公開者は現状、コンテンツの紹介・宣伝に有効な日常的手段を持たず、自ら情報公開により受益機会の拡大をはかる途を閉ざされている状況にある。【０００３】利用者の立場に立つコンテンツ検索に関する技術的提案の多くは、検索範囲や検索内容を拡大、深化させる方向で多くなされており、例えば、多数のホームページから属性型情報やその関連語を収集し、検索用カテゴリとしてデータベース化し、同時にホームページの特性、知名度、更新頻度等の評価を元にカテゴリ提示の優先度を付け、またホームページ中の地縁情報を元に、その露出を地図上の座標軸に割当てる等により、検索の視覚的な補完を併せ精度向上をはかる技術がある。（例えば、特許文献１参照）【０００４】また、階層型カテゴリの最下層に多数のリンクレコードを格納し、利用者が入力する検索語を含むカテゴリへ関連するリンク情報を返す他、利用者入力に該当するカテゴリが無ければ代替カテゴリ、それも無ければ入力する“語”単位で候補カテゴリを表示し、そこにリンク情報を返すことで、利用者の検索範囲を拡大し、利用者の情報収集をサポートする技術がある。（例えば、特許文献２参照。）【０００５】さらに、短期間の更新度が高いコンテンツを収集し、そのカテゴリ分類に併せテキストの特徴的単語を抽出し、他方検索語の頻出傾向と該検索語から開かれるコンテンツを収集し、検索語とカテゴリの対応を関連付け、カテゴリを挟んだコンテンツの特徴的な単語と検索語の関係、重畳性をカテゴリサークル型の画面に表示し、言語検索に併せて視覚的選択を促す技術がある。（例えば、非特許文献参照）
【先行技術文献】
【特許文献】
【０００６】
【特許文献１】  特開２０００−３３９３３０公報
【特許文献２】  特開２００２−１３２８０８公報
【非特許文献】
【０００７】
【非特許文献】  最新情報の話題性に着目した情報取得支援システム  情報処理学会：インタラクション２００４  発表稿ｐ２３１〜２３２
【発明の概要】
【発明が解決しようとする課題】
【０００８】前記技術文献における背景技術としての提案は、公開者と利用者が夫々の立場において、カテゴリとキーワードの問題をどう捉え、自らの立場でどう工夫し対処すべきかを示唆しつつ、カテゴリやキーワードの選択判断をテーマや情報ニーズに合せてサポートし、情報流通の活性化を促そうとしている。
しかし、情報の公開と利用が情報の生産と消費という需給関係的立場にあることを考えれば、各当事者の立場における手段的な対応のみでは情報流通の活性化を導くには限界があり、両当事者間のコミュニケーション環境に着目する必要がある。【０００９】特に、今日、公開されるコンテンツの多くは、調査、宣伝、販売、決済等のマーケティング活動の多くをウエブサイト上で実行、完結させる情報処理機能を備えることで、在来の閲覧待ちの単体広告の域をはるかに超える総合的なマーケティング機能を具備しつつあり、コンテンツの公開者はそれを自らのイニシアチブにより、更に効果的に活かせる環境を強く求めていると考えられる。
【課題を解決するための手段】
【００１０】本発明は、上記の点に鑑みなされたもので、公開者と利用者間における情報の需給関係が特徴的である分野を対象に、該分野の情報分類を階層化カテゴリとして記録手段に登録したうえ、公開者が、コンテンツ公開に当り、該記録手段に接続し、プログラムにより上階層から階層順に開くカテゴリリストで、該コンテンツの検索に適するカテゴリを選択し、利用者の選択志向に沿うカテゴリ選択順として広告用記憶手段に書込むプログラムを用意した。【００１１】また、コンテンツを広告本体と位置付け、その紹介、宣伝等を広告記事によりインターネット上で簡易に行える媒体型の仕組として、公開者が自ら、コンテンツ公開と共に、利用者向けのメッセージを発信し、利用者との直接的コミュニケーションを主導する場として具体化した。【００１２】具体的には公開者が公開コンテンツに対する利用者の興味、関心、嗜好等を考慮し、該コンテンツに適する階層化カテゴリを選択し、広告露出先のカテゴリを決定するステップ、該広告露出先のスペースに、自己の広告名義と共に該コンテンツの広告記事を露出するステップ、利用者が露出した広告名義又は広告記事をクリックすることで、広告本体であるコンテンツを該利用者のコンピュータにダウンロードするステップを備えた。
なお公開者が、一のコンテンツを同じ広告記事、同じ露出期間のまま、異なる階層カテゴリの選択により複数の広告露出先に仕向け、広告することも可能とした。【００１３】また、公開者が、コンテンツに適した効果的な広告露出期間を選択するステップ、広告中のコンテンツへのアクセスの累計件数を随時参照するステップ、また露出中のコンテンツを随時確認可能なステップを備えた。【００１４】なお、前記の最下層カテゴリ下の広告表示スペースに複数の広告が露出する場合、その配列は、該広告の公開者が広告設定を行った日時の降順により表示する。
【発明の効果】
【００１５】本発明により、公開者はコンテンツ公開と共に、精通した情報分野を対象に自らカテゴリ選択を行い、メッセージ性のある広告記事の発信によって、利用者のカテゴリ選択における迷いやカテゴリに対する合理性に欠ける期待を除き、利用者の意に叶う高いヒット率で情報の流通と消化を完結させることができる。【００１６】また、本発明により、利用者は、前記最下層カテゴリを冠する広告表示スペースに集まる情報的類似性のある広告記事から、任意に求めるコンテンツを選択し閲覧できると共に、公開者設定の広告期限経過による広告記事の自動削除により、無効コンテンツに煩わされることから解放される。【００１７】本発明は、目的とする情報分野に適したカテゴリ分類を階層化構造で用意することにより、直ちに該分野向けのシステムとして構築することが可能である。また本システムはインターネットもしくはイントラネット環境で独立したサイトとして構築するだけでなく、コンテンツ形式で情報の発信を頻繁に行うウェブサイト内のサブシステムとして構築し、該サイトにおける対顧客等へのサービスの拡張、改善に役立てることができる。【００１８】また、本発明は、インターネット環境下において、国内に限定されるものではなく、言語対応に必要な機能とシステム構造の工夫により、広く国際的に供用可能な形で構成することができる。
【図面の簡単な説明】
【００１９】
【図１】システム構成と運用図
【図２】広告操作とプログラム処理図
【図３】広告閲覧操作とプログラム処理図
【図４】トップページ画面構成（実施例）
【図５】広告用入力フォーム（実施例）
【図６】広告検索用次階層カテゴリ画面（実施例）
【図７】広告露出及びコンテンツ・ダウンロード図（実施例）
【図８】広告露出確認画面（実施例）
【発明を実施するための形態】
【００２０】以下、本発明の実施形態を図１〜図３に基づいて説明する。
【００２１】図１は、システムの構成と運用法を説明する図である。図中、１０は本システムの管理者、１１は該管理者が本システムを提供するシステムサーバ（ウェブ、データベースサーバ）、２０はコンテンツの公開者、２１は該公開者のコンテンツのアップロード先ウェブサーバ、３０、４０はコンテンツを検索、閲覧する不特定の利用者である。
【００２２】図中の閉じた円は、インターネット網で、前記の管理者、公開者及び利用者の通常利用での接続状態を示す。図中の点矢線１は、該公開者がコンテンツ広告（１１Ａ、１１Ｂと表示）を設定する接続と操作、矢線２は利用者３０が該広告を検索、選択し、広告文をクリックする操作、矢線３は利用者の前操作により、前記システムサーバの記憶手段に書込済みのＵＲＬを起動し、インターネットを通じてサーバ２１にある公開者のコンテンツ（図中Ａ）を利用者３０のコンピュータにダウンロードする流れを示す。
【００２３】図２は、図１の点矢線１で示す公開者操作のプログラム処理説明図である。本システムへの接続により記録媒体からカテゴリデータを読出し上階層カテゴリの一覧表示を行い、広告用操作待機（スタート）となる。公開者のパスワード入力により、一覧表示を広告設定用に切替え、三階層のカテゴリ選択結果を広告用記憶手段に書込み、総合入力画面を構成し、同画面で選択済カテゴリの確認及びその他諸入力を受付け、広告用記憶手段に書込み、全記憶データを広告設定画面に表示し、確認操作をうけ、該広告用プログラム処理対象レコードとして有効状態を確定する。
【００２４】図３は、図１の矢線２で示す利用者操作のプログラム処理説明図である。本システムへの接続により記録媒体からカテゴリデータを読出し上階層カテゴリの一覧表示を行い（スタート）、利用者は直ちに、広告検索のためのカテゴリ選択に入ることができる。
注：本図のシステムのスタート以降の画面及び広告検索での各階層画面では、広告在数が各カテゴリに併せ露出する。
上階層（上層）、次階層（中層）でのカテゴリ選択を終わると、次々階層のカテゴリを冠した広告露出画面を表示し、設定された広告文とその広告名義を各カテゴリ対応の広告画面に一覧形式で露出するとともに、各々に設定されているＵＲＬへのリンクを作動状態とする。
【実施例】
【００２５】以下に、出版社と読者（書店及び図書館等を含む）間における本システムの実施例について、図４〜図８に基づいて説明する。
出版情報は、ジャンルやカテゴリによる有意な分類が定着しており、出版社のコンテンツでの出版紹介も一点毎に充実したコンテンツにより行われている例が多い等により実施例として採用したものである。【００２６】図４は、本システムのスタート画面であり、大分類に相当する上階層の図書分類カテゴリを示し、次階層、次々階層におけるカテゴリ選択により、合計１０４件の広告（コンテンツ）が検索、閲覧可能な状況を示している。
注：図示した上階層カテゴリー覧は以下の次階層、次々階層の設定カテゴリ数の計では２，０１５となっている。
公開者は、本スタート画面において、所定の操作によりパスワードを入力し、本画面に準じた（広告数表示は無し）広告用カテゴリ選択画面を呼出し、階層移動をしつつカテゴリ選択に入る。【００２７】図５の広告用入力フォームは、公開者が階層順のカテゴリ選択を終えると表示される。画面の左部分には選択済のカテゴリの組合せが表示され、カテゴリ選択の追加、又は選択済のカテゴリ選択の削除を行う。画面の右には、パスワード取得時登録済みの広告名義が露出し、広告文の記入欄、コンテンツのＵＲＬ入力欄が表示される。入力は手入力又はコピー・ペースト及びその組合せの何れでもよい。広告効果を考慮したＵＲＬへのリンク（広告露出）期間は複数用意されており、プルダウン方式により選択する。入力を終え、確認操作を行うと入力データを広告用記憶手段に書込み、広告の露出及び利用者へのコンテンツのダウンロードが可能になる。【００２８】図６は、広告検索用次階層カテゴリ画面であり、上階層カテゴリ画面で行われたカテゴリ選択に続き表示される。上階層カテゴリで“生活”が選択された場合を例として示す。【００２９】図７は、次々階層カテゴリの下の広告スペースでの広告名義及び広告文の露出状態の説明図である。前記次階層カテゴリでの“マナー・交際”の選択により開いた次々階層カテゴリ下の全広告スペースの一部を示す。カテゴリ下のスペースには、公開者が設定した広告が、○○○○・□□□□の広告名義とセットで、降順で露出し、クリックした利用者の手許に広告本体のコンテンツがダウンロードされる様子を示す。同一スペースで広告数が多い場合は、拡張サイン“ｍｏｒｅ”の赤色点灯により利用者のクリックで広告数に見合う様スペースが拡張される。【００３０】図８は、広告露出確認画面である。公開者が、広告設定用の上階層カテゴリ画面でパスワード入力画面を呼出し、パスワードを入力すると、同パスワードで設定を行った広告中の全広告を本図の形式、内容で掲載期間の初日からの降順で表示する。アクセス数は確認時点の累計件数となる。
【産業上の利用可能性】
【００３１】本来、ウェブサイトの構成は、トップページ以下のコンテンツを含め、総情報量を適切に分担し、利用者の検索に対する的確な情報発信機能を維持する必要があるが、情報量の増大、情報更新や情報品質の変化への対応に追われ、トップページでの検索や誘導機能が低下する懸念がある。他方、コンテンツは、ＵＲＬを持ちコンテンツとして単独でインターネット内を流通可能な情報媒体であるから、これを広告本体とし、その広告の場を個々のウェブサイトとは別に、インターネット上に設け、コンテンツの公開者の手により、利用者が直接広告本体を検索し、公開情報を即利用できるようにする、というのが本発明の目的である。【００３２】本発明が産業上利用可能なインターネット環境であるためには、流通する情報が属する情報分野が階層化カテゴリで概念的に定義可能であることが前提となるが、情報社会的な観点からすれば、その定義が成立つ情報分野は、産業分野上に数多く在り、又情報の分類、内容への付加価値化及びコンテンツ化の工夫により、カテゴリ対応領域を広げることで、本システムの産業的利用を更に広げることは十分可能と考えられる。特に、近時普及が著しい携帯端末における機能操作の利便性、画面表示性能の高度化等を考えれば、コンテンツダウンロードによる広告世界は公開者にとって、ＴＰＯの制約が少なく、コストミニマムな広告世界として、今後広く普及する可能性がある。
【符号の説明】
【００３３】  １    開設者２０の広告設定矢線
２    利用者３０の広告１１Ａ選択、クリック矢線
３    同上による、開設者の公開コンテンツ２１Ａのダウンロード矢線
４    利用者４０の広告１１Ｂ選択、クリック矢線
５    同上による、開設者の公開コンテンツ２１Ｂのダウンロード矢線
１０    システム管理者
１１    同上運用の本システム用ウェブサーバ
１１Ａ  記憶手段から読み出され、ウェブサーバ上に露出した開設者広告１
１１Ｂ  同上の開設者広告２
２０    ウェブサイト開設者、かつコンテンツ公開者（広告当事者）
２１    開設者のコンテンツアップロード先のサーバ
２１Ａ  開設者がアップロード済コンテンツＡ
２１Ｂ  同上のコンテンツＢ
３０    利用者（広告の利用、消費者）
４０    同上  （同上）
【手続補正２】
【補正対象書類名】特許請求の範囲
【補正対象項目名】全文
【補正方法】変更
【補正の内容】
【特許請求の範囲】
【請求項１】
目的とする情報分野に適応させ階層化したカテゴリ情報（以下、本願においてカテゴリと記す）を記録媒体に保持し、ウェブサイトの開設者（以下、本願において公開者と記す）が公開したウェブページ（以下、本願においてコンテンツと記す）を広告主体としてインターネット上に広告するため、インターネット経由で該記録媒体に接続し、パスワードを入力すると、上階層カテゴリ群を読み出して一覧画面で表示し、該公開者が該画面中で広告に適するカテゴリを選択すると、次階層及び次々階層カテゴリ群への画面移動を行い、該各階層での同様の操作により、各選択済のカテゴリを階層順に広告用記憶手段に書込むプログラムから成るコンテンツ広告システム。
【請求項２】
前記広告用記憶手段への書込の後、広告用入力フォームを構成表示し、選択済カテゴリによる広告露出位置を公開者に示すと共に、広告用テキストデータの入力、広告の露出期間の入力及びコンテンツのＵＲＬの入力を受付け、該ＵＲＬの起動に連動するアクセスカウンタの接続登録を併せて広告用記憶手段に書込むプログラム、及び該露出期間満了により、該広告用記憶手段に記憶済みの該広告関連の全データを削除するプログラムから成るコンテンツ広告システム。
【請求項３】
公開者が広告の露出状況を確認、照会するためパスワードを入力すると、広告用記憶手段に記憶済みの該公開者に係る全広告中データを読出し、広告単位に広告開始日、広告露出期間（日数）、階層別選択済カテゴリ、広告文、アクセス数累計を読出し、広告開始日の降順により一覧画面に編集、表示するプログラムから成るコンテンツ広告システム。
【請求項４】
コンテンツを閲覧・利用する者（以下、本願において利用者と記す）がインターネット経由で前記の記録媒体に接続すると、上階層カテゴリ群を読み出して広告検索用一覧画面として編集、表示し、広告記憶手段に在る上階層のカテゴリ毎のデータ数を集計し、画面のカテゴリ毎に広告現在数として表示し、利用者の引続くカテゴリ選択により移動する次階層及び次々階層カテゴリ群の画面についても、同様に各カテゴリについて同様の集計値を広告現在数として表示するプログラムから成るコンテンツ広告システム。
【請求項５】
利用者が前記の広告検索用一覧画面のカテゴリ選択による画面移動により、次階層カテゴリ群でカテゴリを選択すると、次々階層の各カテゴリ名を冠した広告露出画面を表示し、各画面中に該カテゴリで広告用記憶手段に記憶済みの全公開者の登録名義と広告文を露出すると共に、各広告名義と広告文から、それぞれの広告主体へのリンクを作動状態にするプログラムから成るコンテンツ広告システム。
【手続補正３】
【補正対象書類名】図面
【補正対象項目名】図２
【補正方法】変更
【補正の内容】
【図２】
2012104141.tif 000001
【手続補正４】
【補正対象書類名】図面
【補正対象項目名】図３
【補正方法】変更
【補正の内容】
【図３】
2012104141.tif 000002